(57)【要約】【課題】ポリマーネットワーク（ＰＮ）液晶表示素子のスタティック駆動方式における駆動波形のレベル切り替わり時の電流の集中を抑制すること。【解決手段】第１のレベル（０Ｖ）と第２のレベル（Ｖｓｅｇ）とで所定周期で切り替わる信号を、複数個のＰＮ液晶表示素子のコモン電極及びそれぞれのセグメント電極に入力してスタティック駆動する際、前記複数個のＰＮ液晶表示素子を２グループ以上にグループ化し、前記複数個のＰＮ液晶表示素子の各セグメント電極に出力する信号として、一つのグループに含まれるＰＮ液晶表示素子のセグメント電極へ出力する信号（ＳＥＧ−Ａ）の前記レベルの切り替えと、他のグループに含まれるＰＮ液晶表示素子のセグメント電極へ出力する信号（ＳＥＧ−Ｂ）の前記レベルの切り替えとを、互いに重ならないタイミングで行なう。【選択図】図５
2011137864.tif 000002
【特許請求の範囲】
【請求項１】
第１のレベルと第２のレベルとで所定周期で切り替わる信号を、複数個のポリマーネットワーク液晶表示素子のコモン電極及びそれぞれのセグメント電極に入力してスタティック駆動するポリマーネットワーク液晶駆動装置において、
前記複数個のポリマーネットワーク液晶表示素子を、２グループ以上にグループ化し、一つのグループに含まれるポリマーネットワーク液晶表示素子のセグメント電極へ出力する信号の前記レベルの切り替えと、他のグループに含まれるポリマーネットワーク液晶表示素子のセグメント電極へ出力する信号の前記レベルの切り替えとを、互いに重ならないタイミングで行なう信号を、前記複数個のポリマーネットワーク液晶表示素子の各セグメント電極に出力することを特徴とするポリマーネットワーク液晶駆動装置。
【請求項２】
前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、
前記セグメント電極に出力する信号の前記レベルの切り替えを、前記コモン電極に出力する信号が前記中間レベルの信号状態であるときに行なうことを特徴とする請求項１に記載のポリマーネットワーク液晶駆動装置。
【請求項３】
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なうことを特徴とする請求項２に記載のポリマーネットワーク液晶駆動装置。
【請求項４】
前記複数個のポリマーネットワーク液晶表示素子が形成された透明基板上にＣＯＧ実装されることを特徴とする請求項１乃至３の何れかに記載のポリマーネットワーク液晶駆動装置。
【請求項５】
第１のレベルと第２のレベルとで所定周期で切り替わる信号を、複数個のポリマーネットワーク液晶表示素子のコモン電極及びそれぞれのセグメント電極に入力してスタティック駆動する際に、
前記複数個のポリマーネットワーク液晶表示素子を、２グループ以上にグループ化し、
前記複数個のポリマーネットワーク液晶表示素子の各セグメント電極に出力する信号として、一つのグループに含まれるポリマーネットワーク液晶表示素子のセグメント電極へ出力する信号の前記レベルの切り替えと、他のグループに含まれるポリマーネットワーク液晶表示素子のセグメント電極へ出力する信号の前記レベルの切り替えとを、互いに重ならないタイミングで行なう、
ことを特徴とするポリマーネットワーク液晶駆動方法。
【請求項６】
前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、
前記セグメント電極に出力する信号の前記レベルの切り替えを、前記コモン電極に出力する信号が前記中間レベルの信号状態であるときに行なうことを特徴とする請求項５に記載のポリマーネットワーク液晶駆動方法。
【請求項７】
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なうことを特徴とする請求項６に記載のポリマーネットワーク液晶駆動方法。
【請求項８】
透明基板と、
前記透明基板上に形成された複数個のポリマーネットワーク液晶表示素子と、
前記透明基板上にＣＯＧ実装された、請求項１乃至３の何れかに記載のポリマーネットワーク液晶駆動装置と、
を具備することを特徴とするポリマーネットワーク液晶パネル。
【発明の詳細な説明】
【技術分野】
【０００１】
本発明は、ポリマーネットワーク液晶表示素子を駆動する駆動装置及び駆動方法、並びに、そのような駆動装置を搭載したポリマーネットワーク液晶パネルに関する。
【背景技術】
【０００２】
液晶表示素子は、薄く、消費電力が少ない等の特長から様々な用途の表示パネルに用いられている。液晶表示素子の一般的な表示モードとしては、ツイストネマティックモード等、液晶層を２枚の偏光板で挟んだ構成を有する液晶パネルにより、光源であるバックライトから出た光のうち、当該２枚の偏光板を透過する光の量を制御することで画像の表示を行う方法が知られている。しかし、偏光板は光の吸収率が高く、偏光板を使用する場合、明るい表示の実現のためには明るい光源が必要であり、多くのエネルギーを必要とする。
【０００３】
一方で、例えば特許文献１に開示されている様な、ポリマーネットワーク液晶表示素子が知られている。このポリマーネットワーク液晶表示素子は、ポリマーネットワークに分散された液晶層中の液晶分子の配向を、液晶層を挟むように配置された電極によって発生させた電場で制御し、液晶層を光透過状態と光散乱状態とに変化させることで、表示を制御することが可能となっている。
【０００４】
図６は、スタティック駆動方式でのポリマーネットワーク液晶表示素子の両電極への印加電圧波形を表すタイミングチャートを示す図である。ポリマーネットワーク液晶表示素子の液晶層を挟むように配置された電極の一方をコモン電極、他方をセグメント電極とし、コモン電極駆動波形をＣＯＭ、オン表示時のセグメント電極波形をＳＥＧ  ＯＮ、オフ表示時のセグメント電極波形をＳＥＧ  ＯＦＦで、それぞれ示している。これらは、最高値が電圧Ｖｓｅｇで最低値が電圧０Ｖ（グランドレベル）の方形波である。
【０００５】
コモン電極駆動波形ＣＯＭに対しオン表示時のセグメント電極波形ＳＥＧ  ＯＮは逆相になっている。このときポリマーネットワーク液晶表示素子は大きな電圧（実効値）が印加されオン表示となる。このオン表示では、液晶層は光透過状態つまり透明状態となる。ポリマーネットワーク液晶の場合、５Ｖ程度以上でオンするものが一般的である。
【０００６】
反対に、コモン電極駆動波形ＣＯＭに対しオフ表示時のセグメント電極波形ＳＥＧ  ＯＦＦは同相になっている。このときポリマーネットワーク液晶表示素子は電圧（実効値）が印加されずオフ表示となる。このオフ表示では、液晶層は光散乱状態つまり拡散状態となる。
【０００７】
この様なポリマーネットワーク液晶表示素子では、偏光板が不要であるため、偏光板の吸収による光損失がなく、光を有効に用いることができる。従って明るい表示が可能である。
【先行技術文献】
【特許文献】
【０００８】
【特許文献１】特開２００３−２７０６５７号公報
【発明の概要】
【発明が解決しようとする課題】
【０００９】
上述のように、ポリマーネットワーク液晶においても、印加電圧のレベル切り替えを行なって交流駆動する必要があるので、ポリマーネットワーク液晶駆動装置は、コモン電極駆動波形ＣＯＭを交流化周期で第１のレベルから第２のレベルへ、又は、前記第２のレベルから前記第１のレベルへ、切り替えを行ない、セグメント電極波形ＳＥＧは、表示内容が拡散状態（ＳＥＧ  ＯＦＦ状態）か透明状態（ＳＥＧ  ＯＮ状態）かで、コモン電極駆動波形ＣＯＭ信号に対して同相か逆相かを切り替えて、前記第１のレベルから前記第２のレベルへ、又は、前記第２のレベルから前記第１のレベルへ切り替え出力するようになっている。
【００１０】
前記のようなポリマーネットワーク液晶表示素子を多数配設したポリマーネットワーク液晶パネルにあっては、例えば全てのポリマーネットワーク液晶表示素子が同一表示状態となる場合がある。このような場合、セグメント電極波形ＳＥＧの切り替わり方向が同一方向であるので、切り替え時の電流集中が大きい。
【００１１】
一方、ポリマーネットワーク液晶駆動装置をＬＳＩ化して液晶パネルガラス上にＣＯＧ（Chip On Glass）実装したポリマーネットワーク液晶パネルを製造する場合、限られたスペースに多数の配線パターンを配置しなければならない。このポリマーネットワーク液晶パネルにおいても、搭載されるポリマーネットワーク液晶のセグメント数の増加と狭額縁化とが望まれている。そのため、配線パターンが細線化すると共に、隣接配線パターン間の間隔も非常に小さなものとなり、配線抵抗が大きくなる。
【００１２】
このように大きな配線抵抗を持つ配線パターンに前述のように切り替え時に大電流が流れることで電圧降下が大きなものとなって、ポリマーネットワーク液晶に十分な駆動電圧を印加することができず、所望の表示状態が得られなくなるという問題が発生してしまう。そのため、ポリマーネットワーク液晶駆動装置を液晶パネルガラス上にＣＯＧ実装したポリマーネットワーク液晶パネルの狭額縁化が、望まれているにもかかわらず、達成することが難しかった。
【００１３】
そこで本発明は、スタティック駆動方式における駆動波形のレベル切り替わり時の電流の集中を抑制することが可能なポリマーネットワーク液晶駆動装置及び駆動方法、並びにポリマーネットワーク液晶パネルを提供することを目的とする。
【課題を解決するための手段】
【００１４】
請求項１に記載のポリマーネットワーク液晶駆動装置は、
第１のレベルと第２のレベルとで所定周期で切り替わる信号を、複数個のポリマーネットワーク液晶表示素子のコモン電極及びそれぞれのセグメント電極に入力してスタティック駆動するポリマーネットワーク液晶駆動装置において、
前記複数個のポリマーネットワーク液晶表示素子を、２グループ以上にグループ化し、一つのグループに含まれるポリマーネットワーク液晶表示素子のセグメント電極へ出力する信号の前記レベルの切り替えと、他のグループに含まれるポリマーネットワーク液晶表示素子のセグメント電極へ出力する信号の前記レベルの切り替えとを、互いに重ならないタイミングで行なう信号を、前記複数個のポリマーネットワーク液晶表示素子の各セグメント電極に出力することを特徴とする。  
請求項２に記載のポリマーネットワーク液晶駆動装置は、前記請求項１に記載のポリマーネットワーク液晶駆動装置において、
前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、
前記セグメント電極に出力する信号の前記レベルの切り替えを、前記コモン電極に出力する信号が前記中間レベルの信号状態であるときに行なうことを特徴とする。  
請求項３に記載のポリマーネットワーク液晶駆動装置は、前記請求項２に記載のポリマーネットワーク液晶駆動装置において、
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なうことを特徴とする。  
請求項４に記載のポリマーネットワーク液晶駆動装置は、前記請求項１乃至３の何れかに記載のポリマーネットワーク液晶駆動装置において、
前記複数個のポリマーネットワーク液晶表示素子が形成された透明基板上にＣＯＧ実装されることを特徴とする。  
請求項５に記載のポリマーネットワーク液晶駆動方法は、
第１のレベルと第２のレベルとで所定周期で切り替わる信号を、複数個のポリマーネットワーク液晶表示素子のコモン電極及びそれぞれのセグメント電極に入力してスタティック駆動する際に、
前記複数個のポリマーネットワーク液晶表示素子を、２グループ以上にグループ化し、
前記複数個のポリマーネットワーク液晶表示素子の各セグメント電極に出力する信号として、一つのグループに含まれるポリマーネットワーク液晶表示素子のセグメント電極へ出力する信号の前記レベルの切り替えと、他のグループに含まれるポリマーネットワーク液晶表示素子のセグメント電極へ出力する信号の前記レベルの切り替えとを、互いに重ならないタイミングで行なう、
ことを特徴とする。  
請求項６に記載のポリマーネットワーク液晶駆動方法は、前記請求項５に記載のポリマーネットワーク液晶駆動方法において、
前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、
前記セグメント電極に出力する信号の前記レベルの切り替えを、前記コモン電極に出力する信号が前記中間レベルの信号状態であるときに行なうことを特徴とする。  
請求項７に記載のポリマーネットワーク液晶駆動方法は、前記請求項６に記載のポリマーネットワーク液晶駆動方法において、
前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、
前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、
の少なくとも一方を行なうことを特徴とする。  
請求項８に記載のポリマーネットワーク液晶パネルは、
透明基板と、
前記透明基板上に形成された複数個のポリマーネットワーク液晶表示素子と、
前記透明基板上にＣＯＧ実装された、前記請求項１乃至３の何れかに記載のポリマーネットワーク液晶駆動装置と、
を具備することを特徴とする。
【発明の効果】
【００１５】
本発明によれば、複数個のポリマーネットワーク液晶表示素子を２グループ以上にグループ化し、駆動波形のレベル切り替わりのタイミングがグループ間で互いに重ならないようにしたことにより、スタティック駆動方式における駆動波形のレベル切り替わり時の電流の集中を抑制することが可能となる。よって、ＣＯＧ実装による狭額縁のポリマーネットワーク液晶パネルを製造することが可能となる。
【図面の簡単な説明】
【００１６】
【図１】図１（Ａ）は、本発明の第１実施形態に係るポリマーネットワーク液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。
【図２】図２（Ａ）は、ポリマーネットワーク液晶表示素子の電圧印加時の動作を説明するための図であり、図２（Ｂ）は同じく電圧非印加時の動作を説明するための図である。
【図３】図３（Ａ）は、本発明の第１実施形態に係るポリマーネットワーク液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ポリマーネットワーク液晶パネルの構成例を説明するための図である。
【図４Ａ】図４Ａ（Ａ）は、本発明の第２実施形態に係るポリマーネットワーク液晶駆動装置及び駆動方法におけるオン表示時の印加電圧波形を表すタイミングチャートを示す図であり、図４Ａ（Ｂ）は、図４Ａ（Ａ）の部分拡大図である。
【図４Ｂ】図４Ｂ（Ａ）は、第２実施形態に係るポリマーネットワーク液晶駆動装置及び駆動方法におけるオフ表示時の印加電圧波形を表すタイミングチャートを示す図であり、図４Ｂ（Ｂ）は、図４Ｂ（Ａ）の部分拡大図である。
【図５】図５（Ａ）は、本発明の第３実施形態に係るポリマーネットワーク液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【図６】図６は、従来のポリマーネットワーク液晶駆動装置及び駆動方法における印加電圧波形を表すタイミングチャートを示す図である。
【発明を実施するための形態】
【００１７】
［第１実施形態］
以下、本発明の第１実施形態について図１乃至図３を参照して説明する。ここで、図１（Ａ）は、本第１実施形態に係るポリマーネットワーク（以下、ＰＮと略記する）液晶駆動装置及び駆動方法におけるオン表示時の印加電圧波形を表すタイミングチャートを示す図であり、図１（Ｂ）は、同じくオフ表示時の印加電圧波形を表すタイミングチャートを示す図である。また、図２（Ａ）は、ＰＮ液晶表示素子の電圧印加時の動作を説明するための図であり、図２（Ｂ）は同じく電圧非印加時の動作を説明するための図である。また、図３（Ａ）は、本第１実施形態に係るＰＮ液晶パネルの適用例を説明するための一眼レフレックスカメラの光路を示す図であり、図３（Ｂ）は、ファインダ内表示の例を示す図であり、図３（Ｃ）及び（Ｄ）は、それぞれ、ＰＮ液晶パネルの構成例を説明するための図である。
【００１８】
ＰＮ液晶表示素子は、図２（Ａ）に示すように、例えばガラス基板等である光源側透明基板１上に、例えば酸化インジウム錫（ＩＴＯ）膜等の透明導電膜を成膜して構成されたコモン電極２が形成されている。また、例えばガラス基板等の透明基板である観察側透明基板３上に、例えばＩＴＯ膜等で構成されるセグメント電極４が形成されている。そして、光源側透明基板１のコモン電極２側と、観察側透明基板３のセグメント電極４側とは、均一な間隙を形成するように、図示しないギャップ材を介して貼り合わされている。この間隙には、ＰＮ５中に液晶分子６が分散して構成されている液晶層が封入されている。
【００１９】
このような構造において、図２（Ａ）に示すようにコモン電極２とセグメント電極４との間に電場が形成されていない状態では、ＰＮ５中に分散された液晶分子６は、任意の方向を向いている。この場合、ＰＮ５の屈折率と液晶分子６の平均屈折率が異なるようにすると、光源側透明基板１側から入射した入射光７は、散乱しながら液晶層を透過し、その散乱光８は、観察側透明基板３から射出される。従って、液晶分子６が任意の方向を向いた液晶層に入射した光は、観察側透明基板３側から散乱して射出されるため、観察側透明基板３側からは白濁した光として観察される。
【００２０】
一方、図２（Ｂ）に示すようにコモン電極２とセグメント電極４との間に十分に大きな電場が形成されている状態では、発生した電場に従って、ＰＮ５中に分散された液晶分子６は、一方向に配向する。この場合、ＰＮ５の屈折率と一方向に配向した液晶分子６の屈折率が同一となるようにすると、光源側透明基板１側から入射した入射光７は、液晶層内を直進し、観察側透明基板３から透過光９として射出する。このように、液晶分子６が一方向に配向した液晶層に入射した光は、観察側透明基板３側から直線状に射出されるため、即ち、ＰＮ液晶表示素子は透明状態となるため、観察側透明基板３側からは該ＰＮ液晶表示素子に入射した光がそのまま観察されることとなる。
【００２１】
このように、ＰＮ液晶表示素子は、ＰＮ５に分散された液晶層中の液晶分子６の配向を、液晶層を挟むように配置されたコモン電極２，セグメント電極４によって発生させた電場で制御し、液晶層を光透過状態と光散乱状態とに変化させることで、表示を制御することが可能となっている。なお、図２の例では、光源側透明基板１側にコモン電極２、観察側透明基板３側にセグメント電極４を形成しているが、光源側透明基板１側にセグメント電極４、観察側透明基板３側にコモン電極２を形成しても良いことは勿論である。
【００２２】
このようなＰＮ液晶表示素子をセグメントとして複数配置してＰＮ液晶パネルを形成する場合、光源側透明基板１及び観察側透明基板３を共通として、光源側透明基板１上にコモン電極２を隙間なく均一にベタ形成し、液晶層とセグメント電極４を所望の形状で配設する。
【００２３】
このようにして形成したＰＮ液晶パネルは、例えば、図３（Ａ）及び（Ｂ）に示すように、一眼レフレックスカメラのファインダ内表示に適用されることができる。一眼レフレックスカメラでは、図３（Ａ）に示すように、被写体からの光は、レンズ１０を介してカメラ本体１１内に導かれ、ミラー１２で反射されて、ピントグラス１３上に被写体の実像を結像する。この被写体像は、ペンタプリズム１４によりファインダ１５に導かれ、観察できるようになっている。ピントグラス１３とペンタプリズム１４の間に、本実施形態に係るＰＮ液晶パネル１６が配置され、ピントグラス１３に映った実像に各種情報を重ねて表示する。この情報としては、例えば、図３（Ｂ）に示すような、構図用格子線１７やフォーカスポイント表示１８（この例では５１点）を含み、それらの各形状に合わせてＰＮ液晶表示素子の液晶層とセグメント電極４を形成する。勿論、カメラのモード表示や、電池残量等、その他の情報表示を行なうことも可能である。各ＰＮ液晶表示素子をオフ表示とすることで液晶層を光散乱状態とし、ピントグラス１３に映った実像上に情報を白色表示として重畳表示させる。
【００２４】
なお、一眼レフレックスカメラでは、ミラー１２をアップしてシャッタ１９を開けてフィルム又は撮像素子２０に被写体光を導いて撮影を行なうため、ミラーアップ状態ではＰＮ液晶パネル１６には被写体像が導かれず、ファインダ１５からはＰＮ液晶パネル１６に表示された情報のみが観察されることとなる。
【００２５】
ＰＮ液晶パネル１６は、図３（Ｃ）に示すように、液晶パネルガラス２１上に、表示部２２、駆動ドライバ２３、コネクタ２４が、ＣＯＧ実装されたものである。ここで、表示部２２には複数のＰＮ液晶表示素子が配されるもので、液晶パネルガラス２１が前記光源側透明基板１として用いられている。駆動ドライバ２３は、各ＰＮ液晶表示素子を駆動するためのＬＳＩ化されたＰＮ液晶駆動装置であり、液晶パネルガラス２１には、該駆動ドライバ２３から各ＰＮ液晶表示素子のセグメント電極４及び共通のコモン電極２への給電を行なうための配線パターン２５が形成されている。また、コネクタ２４は、カメラ本体１１内に構成された不図示のカメラ制御部からの制御信号等を供給するためのフレキシブル基板２６を接続するためのものであり、液晶パネルガラス２１には、該コネクタ２４と前記駆動ドライバ２３との間を接続する配線パターン２７も形成されている。
【００２６】
このＰＮ液晶パネル１６において、狭額縁化を図ると、図３（Ｄ）に示すような配置構成が採られる。即ち、駆動ドライバ２３とコネクタ２４とを併設し、配線パターン２５，２７を細線化すると共に隣接配線パターンに近接して引き回すこととなる。この配線パターン２５，２７の細線化及び近接配置は、表示部２２のＰＮ液晶表示素子数つまりセグメント数が数個から十数個であればそれ程問題とはならないが、図３（Ａ）及び（Ｂ）に示すような一眼レフレックスカメラのファインダ内表示に適用した場合には、百個を超えるセグメント数となり、大きな配線抵抗を呈するものとなる。そして、それら全セグメントを同一表示状態としなければならないため、印加電圧のレベル切り替えを行なって交流駆動した際のセグメント電極波形のレベル切り替わり時には、そのように大きな配線抵抗を持つ配線パターン２５に大電流が流れてしまい、駆動電圧の降下が大きなものとなってしまう。これにより、各ＰＮ液晶表示素子に、所望の表示状態とするのに十分な電圧を印加することができず、その所望の表示状態が得られなくなってしまう。
【００２７】
そこで、本実施形態では、駆動ドライバ２３は、図１（Ａ）及び（Ｂ）に示すような駆動を行なう。
【００２８】
即ち、コモン電極２に印加するコモン電極駆動波形ＣＯＭは、従来は、最低値が第１のレベルである電圧０Ｖ（グランドレベル）で最高値が第２のレベルである電圧Ｖｓｅｇ（例えば５Ｖ）が所定周期で切り替わる方形波であったものを、本実施形態では、そのレベル切り替え時に一度、前記第１のレベルと前記第２のレベルとの中間レベル（Ｖｓｅｇ／２）の信号状態を所定時間出力するようなものとする。
【００２９】
また、表示部２２に配された多数のＰＮ液晶表示素子を２グループ以上（本実施形態では３グループＡ〜Ｃ）にグループ化し、各グループのセグメント電極４に印加される、前記コモン電極駆動波形ＣＯＭと同様の周期で行なわれるセグメント電極波形ＳＥＧ−Ａ，ＳＥＧ−Ｂ，ＳＥＧ−Ｃのレベル切り替えを、前記コモン電極駆動波形ＣＯＭが中間レベルとなっている間に、互いにタイミングが重ならないように行なう。このグループ化の数によって、前記コモン電極駆動波形ＣＯＭを前記中間レベルの信号状態とする前記所定時間が決まる。
【００３０】
具体的には、オン表示（透明状態）時には、図１（Ａ）に示すように、前記コモン電極駆動波形ＣＯＭを前記第１のレベルである０Ｖから前記第２のレベルである電圧Ｖｓｅｇへ切り替えるレベル切り替わりのタイミングになったならば、まず、前記コモン電極駆動波形ＣＯＭを前記第１のレベルである０Ｖから前記中間レベルである電圧Ｖｓｅｇ／２に切り替える。その後、第１のグループＡに属するＰＮ液晶表示素子のセグメント電極４に印加されるセグメント電極波形ＳＥＧ−Ａを電圧Ｖｓｅｇから０Ｖに切り替える。このとき、第２及び第３のグループＢ，Ｃに属するＰＮ液晶表示素子のセグメント電極４に印加されるセグメント電極波形ＳＥＧ−Ｂ，ＳＥＧ−Ｃは電圧Ｖｓｅｇのままとする。次に、セグメント電極波形ＳＥＧ−Ｂを電圧Ｖｓｅｇから０Ｖに切り替える。このとき、セグメント電極波形ＳＥＧ−Ａは０Ｖのままであり、セグメント電極波形ＳＥＧ−Ｃは電圧Ｖｓｅｇのままである。その後、セグメント電極波形ＳＥＧ−Ｃを電圧Ｖｓｅｇから０Ｖに切り替える。このとき、セグメント電極波形ＳＥＧ−Ａ，ＳＥＧ−Ｂは０Ｖのままである。こうしてセグメント電極波形ＳＥＧ−Ａ，ＳＥＧ−Ｂ，ＳＥＧ−Ｃの全てが０Ｖに切り替わったならば、コモン電極駆動波形ＣＯＭを前記中間レベルである電圧Ｖｓｅｇ／２から前記第２のレベルである電圧Ｖｓｅｇに切り替える。
【００３１】
そして、前記所定周期が経過して前記コモン電極駆動波形ＣＯＭの次のレベル切り替わりのタイミングになったならば、まず、前記コモン電極駆動波形ＣＯＭを前記第２のレベルである電圧Ｖｓｅｇから前記中間レベルである電圧Ｖｓｅｇ／２に切り替える。その後、セグメント電極波形ＳＥＧ−Ａを０Ｖから電圧Ｖｓｅｇに切り替える。このとき、セグメント電極波形ＳＥＧ−Ｂ，ＳＥＧ−Ｃは０Ｖのままとする。次に、セグメント電極波形ＳＥＧ−Ｂを０Ｖから電圧Ｖｓｅｇに切り替える。このとき、セグメント電極波形ＳＥＧ−Ａは電圧Ｖｓｅｇのままであり、セグメント電極波形ＳＥＧ−Ｃは０Ｖのままである。その後、セグメント電極波形ＳＥＧ−Ｃを電圧０Ｖから電圧Ｖｓｅｇに切り替える。このとき、セグメント電極波形ＳＥＧ−Ａ，ＳＥＧ−Ｂは電圧Ｖｓｅｇのままである。こうしてセグメント電極波形ＳＥＧ−Ａ，ＳＥＧ−Ｂ，ＳＥＧ−Ｃの全てが電圧Ｖｓｅｇに切り替わったならば、コモン電極駆動波形ＣＯＭを前記中間レベルである電圧Ｖｓｅｇ／２から前記第１のレベルである０Ｖに切り替える。  
以上のレベル切り替えを交互に行なう。
【００３２】
また、オフ表示（拡散状態）時には、図１（Ｂ）に示すように、前記コモン電極駆動波形ＣＯＭのレベル切り替わりのタイミングになったならば、まず、前記コモン電極駆動波形ＣＯＭを前記第１のレベルである０Ｖから前記中間レベルである電圧Ｖｓｅｇ／２に切り替える。その後、セグメント電極波形ＳＥＧ−Ａを０Ｖから電圧Ｖｓｅｇに切り替える。このとき、セグメント電極波形ＳＥＧ−Ｂ，ＳＥＧ−Ｃは０Ｖのままとする。次に、セグメント電極波形ＳＥＧ−Ｂを０Ｖから電圧Ｖｓｅｇに切り替える。このとき、セグメント電極波形ＳＥＧ−Ａは電圧Ｖｓｅｇのままであり、セグメント電極波形ＳＥＧ−Ｃは０Ｖのままである。その後、セグメント電極波形ＳＥＧ−Ｃを電圧０Ｖから電圧Ｖｓｅｇに切り替える。このとき、セグメント電極波形ＳＥＧ−Ａ，ＳＥＧ−Ｂは電圧Ｖｓｅｇのままである。こうしてセグメント電極波形ＳＥＧ−Ａ，ＳＥＧ−Ｂ，ＳＥＧ−Ｃの全てが電圧Ｖｓｅｇに切り替わったならば、コモン電極駆動波形ＣＯＭを前記中間レベルである電圧Ｖｓｅｇ／２から前記第２のレベルである電圧Ｖｓｅｇに切り替える。
【００３３】
そして、前記所定周期が経過して前記コモン電極駆動波形ＣＯＭの次のレベル切り替わりのタイミングになったならば、まず、前記コモン電極駆動波形ＣＯＭを前記第１のレベルである電圧Ｖｓｅｇから前記中間レベルである電圧Ｖｓｅｇ／２に切り替える。その後、セグメント電極波形ＳＥＧ−Ａを電圧Ｖｓｅｇから０Ｖに切り替える。このとき、セグメント電極波形ＳＥＧ−Ｂ，ＳＥＧ−Ｃは電圧Ｖｓｅｇのままとする。次に、セグメント電極波形ＳＥＧ−Ｂを電圧Ｖｓｅｇから０Ｖに切り替える。このとき、セグメント電極波形ＳＥＧ−Ａは０Ｖのままであり、セグメント電極波形ＳＥＧ−Ｃは電圧Ｖｓｅｇのままである。その後、セグメント電極波形ＳＥＧ−Ｃを電圧Ｖｓｅｇから０Ｖに切り替える。このとき、セグメント電極波形ＳＥＧ−Ａ，ＳＥＧ−Ｂは０Ｖのままである。こうしてセグメント電極波形ＳＥＧ−Ａ，ＳＥＧ−Ｂ，ＳＥＧ−Ｃの全てが０Ｖに切り替わったならば、コモン電極駆動波形ＣＯＭを前記中間レベルである電圧Ｖｓｅｇ／２から前記第１のレベルである０Ｖに切り替える。  
以上のレベル切り替えを交互に行なう。
【００３４】
従って、前記駆動ドライバ２３は、第１のレベルと第２のレベルとで所定周期で切り替わる信号を、複数個のＰＮ液晶表示素子のコモン電極２及びそれぞれのセグメント電極４に入力してスタティック駆動するＰＮ液晶駆動装置であって、前記複数個のＰＮ液晶表示素子を、２グループ以上にグループ化し、一つのグループに含まれるＰＮ液晶表示素子のセグメント電極４へ出力する信号の前記レベルの切り替えと、他のグループに含まれるＰＮ液晶表示素子のセグメント電極４へ出力する信号の前記レベルの切り替えとを、互いに重ならないタイミングで行なう信号を、前記複数個のＰＮ液晶表示素子の各セグメント電極４に出力するＰＮ液晶駆動装置として機能する。
【００３５】
そして、本第１実施形態においては、このＰＮ液晶駆動装置としての駆動ドライバ２３は、前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、前記セグメント電極に出力する信号の前記レベルの切り替えを、前記コモン電極に出力する信号が前記中間レベルの信号状態であるときに行なう。
【００３６】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００３７】
本第１実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００３８】
また、コモン電極駆動波形ＣＯＭを一度中間レベルへ出力することによって、駆動波形のレベル切り替わり時の実効電圧を各グループ間で揃えることができる。
【００３９】
［第２実施形態］
次に、本発明の第２実施形態について図４Ａ及び図４Ｂを参照して説明する。ここで、図４Ａ（Ａ）は、本第２実施形態に係るＰＮ液晶駆動装置及び駆動方法におけるオン表示時の印加電圧波形を表すタイミングチャートを示す図であり、図４Ａ（Ｂ）は、図４Ａ（Ａ）の部分拡大図である。また、図４Ｂ（Ａ）は、第２実施形態に係るＰＮ液晶駆動装置及び駆動方法におけるオフ表示時の印加電圧波形を表すタイミングチャートを示す図であり、図４Ｂ（Ｂ）は、図４Ｂ（Ａ）の部分拡大図である。
【００４０】
本実施形態に係るＰＮ液晶駆動装置としての駆動ドライバ２３は、上記第１実施形態の駆動方法において、更に、各グループのセグメント電極波形ＳＥＧ−Ａ，ＳＥＧ−Ｂ，ＳＥＧ−Ｃにおいても、前記第１のレベルである０Ｖから前記第２のレベルである電圧Ｖｓｅｇへのレベル切り替わり時と、前記第２のレベルである電圧Ｖｓｅｇから前記第１のレベルである０Ｖへのレベル切り替わり時との、両方或いは一方で、前記コモン電極駆動波形ＣＯＭと同電位の中間レベル（Ｖｓｅｇ／２）を出力するように駆動するものである。
【００４１】
即ち、オン表示（透明状態）時には、図４Ａに示すように、前記コモン電極駆動波形ＣＯＭを前記第１のレベルである０Ｖから前記第２のレベルである電圧Ｖｓｅｇへ切り替えるレベル切り替わりのタイミングになったならば、まず、前記コモン電極駆動波形ＣＯＭを前記第１のレベルである０Ｖから前記中間レベルである電圧Ｖｓｅｇ／２に切り替える。その後、セグメント電極波形ＳＥＧ−Ａを、前記第２のレベルである電圧Ｖｓｅｇから一旦、前記中間レベルである電圧Ｖｓｅｇ／２に切り替える。その後に、該セグメント電極波形ＳＥＧ−Ａを、その中間レベルである電圧Ｖｓｅｇ／２から前記第１のレベルである０Ｖに切り替える。このセグメント電極波形ＳＥＧ−Ａのレベル切り替えを行なっている間、セグメント電極波形ＳＥＧ−Ｂ，ＳＥＧ−Ｃは前記第２のレベルである電圧Ｖｓｅｇのままとする。次に、セグメント電極波形ＳＥＧ−Ｂを、前記第２のレベルである電圧Ｖｓｅｇから一旦、前記中間レベルである電圧Ｖｓｅｇ／２に切り替える。その後に、該セグメント電極波形ＳＥＧ−Ｂを、その中間レベルである電圧Ｖｓｅｇ／２から前記第１のレベルである０Ｖに切り替える。このセグメント電極波形ＳＥＧ−Ｂのレベル切り替えを行なっている間、セグメント電極波形ＳＥＧ−Ａは前記第１のレベルである０Ｖのままであり、セグメント電極波形ＳＥＧ−Ｃは前記第２のレベルである電圧Ｖｓｅｇのままである。その後、セグメント電極波形ＳＥＧ−Ｃを、前記第２のレベルである電圧Ｖｓｅｇから一旦、前記中間レベルである電圧Ｖｓｅｇ／２に切り替える。その後に、該セグメント電極波形ＳＥＧ−Ｃを、その中間レベルである電圧Ｖｓｅｇ／２から前記第１のレベルである０Ｖに切り替える。このセグメント電極波形ＳＥＧ−Ｃのレベル切り替えを行なっている間、セグメント電極波形ＳＥＧ−Ａ，ＳＥＧ−Ｂは前記第１のレベルである０Ｖのままである。こうしてセグメント電極波形ＳＥＧ−Ａ，ＳＥＧ−Ｂ，ＳＥＧ−Ｃの全てが前記第１のレベルである０Ｖに切り替わったならば、コモン電極駆動波形ＣＯＭを、前記中間レベルである電圧Ｖｓｅｇ／２から前記第２のレベルである電圧Ｖｓｅｇに切り替える。
【００４２】
そして、前記所定周期が経過して前記コモン電極駆動波形ＣＯＭの次のレベル切り替わりのタイミングになったならば、まず、前記コモン電極駆動波形ＣＯＭを、前記第２のレベルである電圧Ｖｓｅｇから前記中間レベルである電圧Ｖｓｅｇ／２に切り替える。その後、セグメント電極波形ＳＥＧ−Ａを、前記第１のレベルである０Ｖから一旦、前記中間レベルである電圧Ｖｓｅｇ／２に切り替える。その後に、該セグメント電極波形ＳＥＧ−Ａを、その中間レベルである電圧Ｖｓｅｇ／２から前記第２のレベルである電圧Ｖｓｅｇに切り替える。このセグメント電極波形ＳＥＧ−Ａのレベル切り替えを行なっている間、セグメント電極波形ＳＥＧ−Ｂ，ＳＥＧ−Ｃは前記第１のレベルである０Ｖのままとする。次に、セグメント電極波形ＳＥＧ−Ｂを、前記第１のレベルである０Ｖから一旦、前記中間レベルである電圧Ｖｓｅｇ／２に切り替える。その後に、該セグメント電極波形ＳＥＧ−Ｂを、その中間レベルである電圧Ｖｓｅｇ／２から前記第２のレベルである電圧Ｖｓｅｇに切り替える。このセグメント電極波形ＳＥＧ−Ｂのレベル切り替えを行なっている間、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを、前記第１のレベルである電圧０Ｖから一旦、前記中間レベルである電圧Ｖｓｅｇ／２に切り替える。その後に、該セグメント電極波形ＳＥＧ−Ｃを、その中間レベルである電圧Ｖｓｅｇ／２から前記第２のレベルである電圧Ｖｓｅｇに切り替える。このセグメント電極波形ＳＥＧ−Ｃのレベル切り替えを行なっている間、セグメント電極波形ＳＥＧ−Ａ，ＳＥＧ−Ｂは前記第２の電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わったならば、コモン電極駆動波形ＣＯＭを、前記中間レベルである電圧Ｖｓｅｇ／２から前記第１のレベルである０Ｖに切り替える。  
以上のレベル切り替えを交互に行なう。
【００４３】
また、オフ表示（拡散状態）時には、図４Ｂに示すように、前記コモン電極駆動波形ＣＯＭを前記第１のレベルである０Ｖから前記第２のレベルである電圧Ｖｓｅｇへ切り替えるレベル切り替わりのタイミングになったならば、まず、前記コモン電極駆動波形ＣＯＭを前記第１のレベルである０Ｖから前記中間レベルである電圧Ｖｓｅｇ／２に切り替える。その後、セグメント電極波形ＳＥＧ−Ａを、前記第１のレベルである０Ｖから一旦、前記中間レベルである電圧Ｖｓｅｇ／２に切り替える。その後に、該セグメント電極波形ＳＥＧ−Ａを、その中間レベルである電圧Ｖｓｅｇ／２から前記第２のレベルである電圧Ｖｓｅｇに切り替える。このセグメント電極波形ＳＥＧ−Ａのレベル切り替えを行なっている間、セグメント電極波形ＳＥＧ−Ｂ，ＳＥＧ−Ｃは前記第１のレベルである０Ｖのままとする。次に、セグメント電極波形ＳＥＧ−Ｂを、前記第１のレベルである０Ｖから一旦、前記中間レベルである電圧Ｖｓｅｇ／２に切り替える。その後に、該セグメント電極波形ＳＥＧ−Ｂを、その中間レベルである電圧Ｖｓｅｇ／２から前記第２のレベルである電圧Ｖｓｅｇに切り替える。このセグメント電極波形ＳＥＧ−Ｂのレベル切り替えを行なっている間、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを、前記第１のレベルである電圧０Ｖから一旦、前記中間レベルである電圧Ｖｓｅｇ／２に切り替える。その後に、該セグメント電極波形ＳＥＧ−Ｃを、その中間レベルである電圧Ｖｓｅｇ／２から前記第２のレベルである電圧Ｖｓｅｇに切り替える。このセグメント電極波形ＳＥＧ−Ｃのレベル切り替えを行なっている間、セグメント電極波形ＳＥＧ−Ａ，ＳＥＧ−Ｂは前記第２のレベルである電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わったならば、コモン電極駆動波形ＣＯＭを、前記中間レベルである電圧Ｖｓｅｇ／２から前記第２のレベルである電圧Ｖｓｅｇに切り替える。
【００４４】
そして、前記所定周期が経過して前記コモン電極駆動波形ＣＯＭの次のレベル切り替わりのタイミングになったならば、まず、前記コモン電極駆動波形ＣＯＭを、前記第２のレベルである電圧Ｖｓｅｇから前記中間レベルである電圧Ｖｓｅｇ／２に切り替える。その後、セグメント電極波形ＳＥＧ−Ａを、前記第２のレベルである電圧Ｖｓｅｇから一旦、前記中間レベルである電圧Ｖｓｅｇ／２に切り替える。その後に、該セグメント電極波形ＳＥＧ−Ａを、その中間レベルである電圧Ｖｓｅｇ／２から前記第１のレベルである０Ｖに切り替える。このセグメント電極波形ＳＥＧ−Ａのレベル切り替えを行なっている間、セグメント電極波形ＳＥＧ−Ｂ，ＳＥＧ−Ｃは前記第２のレベルである電圧Ｖｓｅｇのままとする。次に、セグメント電極波形ＳＥＧ−Ｂを、前記第２のレベルである電圧Ｖｓｅｇから一旦、前記中間レベルである電圧Ｖｓｅｇ／２に切り替える。その後に、該セグメント電極波形ＳＥＧ−Ｂを、その中間レベルである電圧Ｖｓｅｇ／２から前記第１のレベルである０Ｖに切り替える。このセグメント電極波形ＳＥＧ−Ｂのレベル切り替えを行なっている間、セグメント電極波形ＳＥＧ−Ａは前記第１のレベルである０Ｖのままであり、セグメント電極波形ＳＥＧ−Ｃは前記第２のレベルである電圧Ｖｓｅｇのままである。その後、セグメント電極波形ＳＥＧ−Ｃを、前記第２のレベルである電圧Ｖｓｅｇから一旦、前記中間レベルである電圧Ｖｓｅｇ／２に切り替える。その後に、該セグメント電極波形ＳＥＧ−Ｃを、その中間レベルである電圧Ｖｓｅｇ／２から前記第１のレベルである０Ｖに切り替える。このセグメント電極波形ＳＥＧ−Ｃのレベル切り替えを行なっている間、セグメント電極波形ＳＥＧ−Ａ，ＳＥＧ−Ｂは前記第１のレベルである０Ｖのままである。こうしてセグメント電極波形ＳＥＧ−Ａ，ＳＥＧ−Ｂ，ＳＥＧ−Ｃの全てが前記第１のレベルである０Ｖに切り替わったならば、コモン電極駆動波形ＣＯＭを、前記中間レベルである電圧Ｖｓｅｇ／２から前記第１のレベルである０Ｖに切り替える。  
以上のレベル切り替えを交互に行なう。
【００４５】
従って、前記駆動ドライバ２３は、第１のレベルと第２のレベルとで所定周期で切り替わる信号を、複数個のＰＮ液晶表示素子のコモン電極２及びそれぞれのセグメント電極４に入力してスタティック駆動するＰＮ液晶駆動装置であって、前記複数個のＰＮ液晶表示素子を、２グループ以上にグループ化し、一つのグループに含まれるＰＮ液晶表示素子のセグメント電極４へ出力する信号の前記レベルの切り替えと、他のグループに含まれるＰＮ液晶表示素子のセグメント電極４へ出力する信号の前記レベルの切り替えとを、互いに重ならないタイミングで行なう信号を、前記複数個のＰＮ液晶表示素子の各セグメント電極４に出力するＰＮ液晶駆動装置として機能する。
【００４６】
そして、本第２実施形態においては、このＰＮ液晶駆動装置としての駆動ドライバ２３は、前記コモン電極に出力する信号として、前記第１のレベルから前記第２のレベルへ又は前記第２のレベルから前記第１のレベルへ切り替えるレベル切り替えの際に、前記第１又は第２のレベルの信号状態から、前記第１のレベルと前記第２のレベルとの中間レベルの信号状態を所定時間出力した後、前記第２又は第１のレベルの信号状態となる信号を出力し、前記セグメント電極に出力する信号の前記レベルの切り替えを、前記コモン電極に出力する信号が前記中間レベルの信号状態であるときに行なうと共に、更に、前記セグメント電極に出力する信号として、前記第１のレベルから前記第２のレベルへ切り替えるレベル切り替えの際に、前記第１のレベルの信号状態から、前記第１のレベルと前記第２のレベルとの中間レベルの信号状態を所定時間出力した後、前記第２のレベルの信号状態となる信号を出力することと、前記セグメント電極に出力する信号として、前記第２のレベルから前記第１のレベルへ切り替えるレベル切り替えの際に、前記第２のレベルの信号状態から、前記中間レベルの信号状態を所定時間出力した後、前記第１のレベルの信号状態となる信号を出力することと、の少なくとも一方を行なう。
【００４７】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００４８】
本第２実施形態のようなＰＮ液晶駆動方法を採ることにより、スタティック駆動方式における駆動波形のレベル切り替わり時に流れる電流を小さく抑えられると共に電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００４９】
また、コモン電極駆動波形ＣＯＭを一度中間レベルへ出力することによって、駆動波形のレベル切り替わり時の実効電圧を各グループ間で揃えることができる。
【００５０】
［第３実施形態］
次に、本発明の第３実施形態について図５を参照して説明する。ここで、図５（Ａ）は、本第３実施形態に係るＰＮ液晶駆動装置及び駆動方法におけるオン表示時の印加電圧波形を表すタイミングチャートを示す図であり、図５（Ｂ）は、同じくオフ表示時の印加電圧波形を表すタイミングチャートを示す図である。
【００５１】
本実施形態では、コモン電極２に印加するコモン電極駆動波形ＣＯＭは、従来と同様、最低値が前記第１のレベルである電圧０Ｖ（グランドレベル）で最高値が前記第２のレベルである電圧Ｖｓｅｇ（例えば５Ｖ）の方形波とする。
【００５２】
また、表示部２２に配された多数のＰＮ液晶表示素子を２グループ以上（本実施形態では３グループＡ〜Ｃ）にグループ化し、ＰＮ液晶駆動装置としての駆動ドライバ２３は、各グループのセグメント電極４に印加されるセグメント電極波形ＳＥＧ−Ａ，ＳＥＧ−Ｂ，ＳＥＧ−Ｃの、第１のレベルである０Ｖから第２のレベルである電圧Ｖｓｅｇへのレベル切り替え及び第２のレベルである電圧Ｖｓｅｇから第１のレベルである０Ｖへのレベル切り替えにおいて、各グループが互いにタイミングが重ならないようにレベル切り替えを行なう。
【００５３】
つまり、オン表示（透明状態）時には、図５（Ａ）に示すように、前記コモン電極駆動波形ＣＯＭを、前記第１のレベルである０Ｖから前記第２のレベルである電圧Ｖｓｅｇへ切り替えるレベル切り替わりのタイミングになったならば、まず、前記コモン電極駆動波形ＣＯＭを、前記第１のレベルである０Ｖから前記第２のレベルである電圧Ｖｓｅｇに切り替える。その後、セグメント電極波形ＳＥＧ−Ａを前記第２のレベルである電圧Ｖｓｅｇから前記第１のレベルである０Ｖに切り替える。このとき、セグメント電極波形ＳＥＧ−Ｂ，ＳＥＧ−Ｃは前記第２のレベルである電圧Ｖｓｅｇのままとする。次に、セグメント電極波形ＳＥＧ−Ｂを、前記第２のレベルである電圧Ｖｓｅｇから前記第１のレベルである０Ｖに切り替える。このとき、セグメント電極波形ＳＥＧ−Ａは前記第１のレベルである０Ｖのままであり、セグメント電極波形ＳＥＧ−Ｃは前記第２のレベルである電圧Ｖｓｅｇのままである。その後、セグメント電極波形ＳＥＧ−Ｃを、前記第２のレベルである電圧Ｖｓｅｇから前記第１のレベルである０Ｖに切り替える。このとき、セグメント電極波形ＳＥＧ−Ａ，ＳＥＧ−Ｂは前記第１のレベルである０Ｖのままである。こうしてセグメント電極波形ＳＥＧ−Ａ，ＳＥＧ−Ｂ，ＳＥＧ−Ｃの全てが前記第１のレベルである０Ｖに切り替わる。
【００５４】
そして、前記所定周期が経過して前記コモン電極駆動波形ＣＯＭの次のレベル切り替わりのタイミングになったならば、まず、前記コモン電極駆動波形ＣＯＭを、前記第２のレベルである電圧Ｖｓｅｇから前記第１のレベルである０Ｖに切り替える。その後、セグメント電極波形ＳＥＧ−Ａを、前記第１のレベルである０Ｖから前記第２のレベルである電圧Ｖｓｅｇに切り替える。このとき、セグメント電極波形ＳＥＧ−Ｂ，ＳＥＧ−Ｃは前記第１のレベルである０Ｖのままとする。次に、セグメント電極波形ＳＥＧ−Ｂを前記第１のレベルである０Ｖから前記第２のレベルである電圧Ｖｓｅｇに切り替える。このとき、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを電圧前記第１のレベルである０Ｖから前記第２のレベルである電圧Ｖｓｅｇに切り替える。このとき、セグメント電極波形ＳＥＧ−Ａ，ＳＥＧ−Ｂは前記第２のレベルである電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わる。  
以上の極性切り替えを交互に行なう。
【００５５】
また、オフ表示（拡散状態）時には、図１（Ｂ）に示すように、前記コモン電極駆動波形ＣＯＭを前記第１のレベルである０Ｖから前記第２のレベルである電圧Ｖｓｅｇへ切り替えるレベル切り替わりのタイミングになったならば、まず、前記コモン電極駆動波形ＣＯＭを、前記第１のレベルである０Ｖから前記第２のレベルである電圧Ｖｓｅｇに切り替える。その後、セグメント電極波形ＳＥＧ−Ａを、前記第１のレベルである０Ｖから前記第２のレベルである電圧Ｖｓｅｇに切り替える。このとき、セグメント電極波形ＳＥＧ−Ｂ，ＳＥＧ−Ｃは前記第１のレベルである０Ｖのままとする。次に、セグメント電極波形ＳＥＧ−Ｂを、前記第１のレベルである０Ｖから前記第２のレベルである電圧Ｖｓｅｇに切り替える。このとき、セグメント電極波形ＳＥＧ−Ａは前記第２のレベルである電圧Ｖｓｅｇのままであり、セグメント電極波形ＳＥＧ−Ｃは前記第１のレベルである０Ｖのままである。その後、セグメント電極波形ＳＥＧ−Ｃを、前記第１のレベルである０Ｖから前記第２のレベルである電圧Ｖｓｅｇに切り替える。このとき、セグメント電極波形ＳＥＧ−Ａ，ＳＥＧ−Ｂは前記第２のレベルである電圧Ｖｓｅｇのままである。こうしてセグメント電極波形ＳＥＧ−Ａ，ＳＥＧ−Ｂ，ＳＥＧ−Ｃの全てが前記第２のレベルである電圧Ｖｓｅｇに切り替わる。
【００５６】
そして、前記所定周期が経過して前記コモン電極駆動波形ＣＯＭの次のレベル切り替わりのタイミングになったならば、まず、前記コモン電極駆動波形ＣＯＭを、前記第２のレベルである電圧Ｖｓｅｇから前記第１のレベルである０Ｖに切り替える。その後、セグメント電極波形ＳＥＧ−Ａを、前記第２のレベルである電圧Ｖｓｅｇから前記第１のレベルである０Ｖに切り替える。このとき、セグメント電極波形ＳＥＧ−Ｂ，ＳＥＧ−Ｃは前記第２のレベルである電圧Ｖｓｅｇのままとする。次に、セグメント電極波形ＳＥＧ−Ｂを、前記第２のレベルである電圧Ｖｓｅｇから前記第１のレベルである０Ｖに切り替える。このとき、セグメント電極波形ＳＥＧ−Ａは前記第１のレベルである０Ｖのままであり、セグメント電極波形ＳＥＧ−Ｃは前記第２のレベルである電圧Ｖｓｅｇのままである。その後、セグメント電極波形ＳＥＧ−Ｃを、前記第２のレベルである電圧Ｖｓｅｇから前記第１のレベルである０Ｖに切り替える。このとき、セグメント電極波形ＳＥＧ−Ａ，ＳＥＧ−Ｂは前記第１のレベルである０Ｖのままである。こうしてセグメント電極波形ＳＥＧ−Ａ，ＳＥＧ−Ｂ，ＳＥＧ−Ｃの全てが前記第１のレベルである０Ｖに切り替わる。  
以上のレベル切り替えを交互に行なう。
【００５７】
従って、前記駆動ドライバ２３は、第１のレベルと第２のレベルとで所定周期で切り替わる信号を、複数個のＰＮ液晶表示素子のコモン電極２及びそれぞれのセグメント電極４に入力してスタティック駆動するＰＮ液晶駆動装置であって、前記複数個のＰＮ液晶表示素子を、２グループ以上にグループ化し、一つのグループに含まれるＰＮ液晶表示素子のセグメント電極４へ出力する信号の前記レベルの切り替えと、他のグループに含まれるＰＮ液晶表示素子のセグメント電極４へ出力する信号の前記レベルの切り替えとを、互いに重ならないタイミングで行なう信号を、前記複数個のＰＮ液晶表示素子の各セグメント電極４に出力するＰＮ液晶駆動装置として機能する。
【００５８】
また、ＰＮ液晶パネル１６は、透明基板である液晶パネルガラス２１と、前記透明基板上に形成された複数個のＰＮ液晶表示素子と、前記透明基板上にＣＯＧ実装された、本実施形態に係るＰＮ液晶駆動装置としての駆動ドライバ２３と、を具備するＰＮ液晶パネルとして機能する。
【００５９】
本第３実施形態のようなＰＮ液晶駆動方法を採ることにより、スタティック駆動方式における駆動波形のレベル切り替わり時に流れる電流を分散することができる、つまり、電流集中を抑えることができるので、レベル切り替わり時の大電流による駆動電圧の降下が少なくなる。よって、ＰＮ液晶表示素子に、所望の表示状態とするのに十分な電圧を印加できようになるので、液晶パネルガラス２１上にＬＳＩ化した駆動ドライバ２３をＣＯＧ実装した狭額縁のＰＮ液晶パネルを製造できるようになる。
【００６０】
前述の第１及び第２実施形態では、駆動波形のレベル切り替わり時の実効電圧を各グループ間で揃えるために、コモン電極駆動波形ＣＯＭを一度中間レベル（Ｖｓｅｇ／２）へ出力している。しかしながら、駆動波形のレベル切り替えの周期が例えば１６ｍｓｅｃ程度であるのに対して、この中間レベルの出力は０．１ｍｓｅｃ程度で終わるので、駆動波形のレベル切り替わり時に生じる実効電圧の各グループ間の差異は、装置や表示品質に影響を及ぼすレベルに達しない。従って、前記第１及び第２実施形態のように、コモン電極駆動波形ＣＯＭをそのような中間レベルを出力するものとするのが理想的ではあるが、実質的には、本実施形態のように、中間レベルを出力しなくても問題はない。
【００６１】
このように、本実施形態では、ＰＮ液晶駆動装置としての駆動ドライバ２３は、その中間レベルを生成するためのアンプ等の構成を備える必要が無くなり、その分、ＬＳＩの小形化、省電力化が達成できる。
【００６２】
［第４実施形態］
前述の第１乃至第３実施形態で説明したようなＰＮ液晶パネル１６を一眼レフレックスカメラのファインダ内表示に適用した場合を考えると、構図用格子線１７やフォーカスポイント表示１８は、実際のカメラの使用時に利用されるものであり、カメラの不使用時には不要なものである。従って、それらの表示を消し、ファインダを透明状態としておくことが望まれる。
【００６３】
一方、ＰＮ液晶表示素子は、透明状態とするためには、前述したようなオン表示の駆動を行なわなければならない。即ち、カメラの不使用時に当該カメラの電源がオフされているにもかかわらず、使用されることのないファインダを透明状態とするためにカメラの電池を利用してＰＮ液晶表示素子の駆動が行なわれることとなる。
【００６４】
そこで、前記第１乃至第３実施形態では、数１０Ｈｚ〜１００Ｈｚ程度の周波数で駆動波形のレベル切り替えを行なっているが、これをカメラの不使用時には、１／２以下の駆動周波数に下げることで、ＰＮ液晶駆動装置としての駆動ドライバ２３での消費電力を抑え、カメラの低消費電力化を図ることが望ましい。
【００６５】
尚、本発明は上記実施形態そのままに限定されるものではなく、実施段階ではその要旨を逸脱しない範囲で構成要素を変形して具体化できる。例えば、前記第２のレベルである電圧Ｖｓｅｇを５Ｖ、グループ数を３としたが、他の値としても良いことは勿論である。また、一眼レフレックスカメラのファインダ内表示を例に説明したが、その他の機器への適用が可能なことは言うまでもない。尚その場合、全てのＰＮ液晶表示素子を同一表示状態としないときには、前記実施形態のようなグループ化や切り替えタイミングをずらす駆動制御は行なわず、通常の駆動を行なうようにしても構わないことは勿論である。
【００６６】
また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【符号の説明】
【００６７】
１…光源側透明基板
２…コモン電極
３…観察側透明基板
４…セグメント電極
５…ポリマーネットワーク（ＰＮ）
６…液晶分子
７…入射光
８…散乱光
９…透過光
１６…ＰＮ液晶パネル
１７…構図用格子線
１８…フォーカスポイント表示
２１…液晶パネルガラス
２２…表示部
２３…駆動ドライバ
２４…コネクタ
２５，２７…配線パターン
２６…フレキシブル基板
【図１】
2011137864.tif 000003
【図２】
2011137864.tif 000004
【図３】
2011137864.tif 000005
【図４Ａ】
2011137864.tif 000006
【図４Ｂ】
2011137864.tif 000007
【図５】
2011137864.tif 000008
【図６】
2011137864.tif 000009